【手続補正書】
【提出日】平成25年3月6日(2013.3.6)
【手続補正１】
【補正対象書類名】特許請求の範囲
【補正対象項目名】全文
【補正方法】変更
【補正の内容】
【特許請求の範囲】
【請求項１】
所定の測定処理を実施するとともに、測定により得られる測定信号を出力する測定装置、および前記測定信号を処理する信号処理装置を接続するとともに、前記測定装置に設けられる第一通信インターフェースから出力される信号を、前記信号処理装置に設けられる第二通信インターフェースに入力可能な信号伝送形式に変換して、前記信号処理装置に伝送する信号変換装置であって、
前記第一通信インターフェースを有する第一通信部と、
前記測定信号を、前記信号処理装置に組み込まれる第一ドライバにより処理可能な第一通信プロトコルに基づいた信号形式に変換する第一信号変換手段と、
前記測定信号を、前記信号処理装置に組み込まれる第二ドライバにより処理可能な第二通信プロトコルに基づいた信号形式に変換する第二信号変換手段と、
前記第一信号変換手段および前記第二信号変換手段のうち、いずれか一方を選択し、選択した一方に前記測定信号の変換処理を実施させる変換制御手段と、
前記信号処理装置と接続可能な第二通信インターフェースを有するとともに、前記測定信号の出力処理を実施する第二通信部と、
を具備したことを特徴とする信号変換装置。
【請求項２】
請求項１に記載の信号変換装置において、
前記第二通信インターフェースは、ＵＳＢ接続インターフェースであり、
前記信号処理装置は、ＵＳＢ接続インターフェースから入力されるＨＩＤキーボードプロトコルに基づいた信号を処理可能なＨＩＤドライバを備え、
前記第一信号変換手段は、前記測定信号を前記ＨＩＤキーボードプロトコルに基づいた信号形式に変換する
ことを特徴とする信号変換装置。
【請求項３】
請求項２に記載の信号変換装置において、
前記信号処理装置は、前記ＵＳＢ接続インターフェースをシリアルポートインターフェースと見なし、前記ＵＳＢ接続インターフェースから入力される信号をシリアルポートプロトコルに基づいて処理可能な仮想シリアルポートドライバを備え、
前記第二信号変換手段は、前記測定信号を前記仮想シリアルポートドライバにより処理可能な仮想シリアルポートプロトコルに基づいた信号形式に変換する
ことを特徴とする信号変換装置。
【請求項４】
請求項１から請求項３のいずれかに記載の信号変換装置において、
第二通信部は、前記信号処理装置からの要求信号を入力可能であり、
前記変換制御手段は、前記第二通信部に入力される要求信号に基づいて、前記第一信号変換手段および前記第二信号変換手段のうち、いずれか一方を選択し、選択した一方に前記測定信号の変換処理を実施させる
ことを特徴とする信号変換装置。
【請求項５】
請求項４に記載の信号変換装置において、
前記変換制御手段は、前記要求信号を認識した場合、前記第二信号変換手段により前記測定信号を変換させ、前記要求信号が認識されない場合、前記第一信号変換手段により前記測定信号を変換させる
ことを特徴とする信号変換装置。
【請求項６】
請求項４に記載の信号変換装置において、
前記要求信号は、前記第一信号変換手段による前記測定信号の変換処理を要求する第一切替要求信号、および前記第二信号変換手段による前記測定信号の変換処理を要求する第
二切替要求信号を備え、
前記変換制御手段は、前記信号処理装置から前記第一切替要求信号を認識すると、前記第一信号変換手段により前記測定信号を変換させ、前記信号処理装置から前記第二切替要求信号を認識すると、前記第二信号変換手段により前記測定信号を変換させる
ことを特徴とする信号変換装置。
【請求項７】
請求項６に記載の信号変換装置において、
前記第二通信インターフェースは、ＵＳＢ接続インターフェースであり、
前記第一信号変換手段は、前記測定信号を前記ＨＩＤキーボードプロトコルに基づいた信号形式に変換し、
前記信号処理装置は、ＵＳＢ接続インターフェースから入力されるＨＩＤキーボードプロトコルに基づいた信号を処理可能なＨＩＤドライバを備えるとともに、前記ＨＩＤドライバによる信号処理が可能な入力操作装置が接続され、
前記第二切替要求信号は、前記入力操作装置から入力される特定キー入力に対して発行されるＯｕｔｐｕｔレポートである
ことを特徴とする信号変換装置。
【請求項８】
請求項１から請求項３のいずれかに記載の信号変換装置において、
前記測定信号の信号形式を設定可能な操作部を備え、
前記変換制御手段は、前記操作部の設定状態に基づいて、前記第一変換手段および前記第二変換手段のうちいずれか一方に、前記測定信号の信号形式を変換させる
ことを特徴とする信号変換装置。
【請求項９】
所定の測定処理により得られる測定信号を出力する測定装置に第一通信インターフェースにより接続されて、前記測定信号をＵＳＢ接続インターフェースに入力可能な信号伝送形式に変換する信号変換装置に接続可能に設けられ、前記信号変換装置から入力される前記測定信号を処理する信号処理装置であって、
前記信号処理装置が接続された時点で自動デバイス検出処理を実施するデバイス検出手段と、
前記測定信号のデータ処理を実施するアプリケーションソフトウェアと、
前記アプリケーションソフトウェアが要求する前記測定信号の信号形式を認識する信号形式認識手段と、
前記ＵＳＢ接続インターフェースから入力されるＨＩＤキーボードプロトコルに基づいた信号形式の信号を処理するＨＩＤドライバと、
前記ＵＳＢ接続インターフェースをシリアルポートインターフェースと見なし、前記ＵＳＢ接続インターフェースから入力される信号をシリアルポートプロトコルに基づいて処理可能な仮想シリアルポートドライバと、
を備え、
前記仮想シリアルポートドライバは、前記信号形式認識手段により、前記アプリケーションソフトウェアが要求する信号形式が前記シリアルポートプロトコルに対応する信号形式であると認識されると、前記デバイス検出手段による自動デバイス検出処理の完了後に、前記シリアルポートプロトコルに対応する信号形式の前記測定信号を要求する要求信号を前記ＵＳＢ接続インターフェースから前記信号変換装置に出力する
ことを特徴とする信号処理装置。
【請求項１０】
所定の測定処理を実施するとともに、測定により得られる測定信号を出力する測定装置と、
請求項１から請求項８のいずれかに記載の信号変換装置と、
請求項９に記載の信号処理装置と、
を具備したことを特徴とする信号変換伝送システム。
【手続補正２】
【補正対象書類名】明細書
【補正対象項目名】０００８
【補正方法】変更
【補正の内容】
【０００８】
この発明では、信号変換装置は、第一通信インターフェースを有する第一通信部、および第二通信インターフェースを有する第二通信部を有し、これらをそれぞれ測定装置、信号処理装置に接続することで、測定装置および信号処理装置を接続する。そして、信号変換装置の変換制御手段は、第一信号変換手段または第二信号変換手段により、第一通信プロトコルおよび第二通信プロトコルのうちいずれか一方に信号形式に変換させ、変換された測定信号を信号処理装置に出力する。
これにより、信号処理装置にて実施されるアプリケーションＳ／Ｗにより異なるＡＰＩが要求された場合でも、信号変換装置は、要求信号に基づいてこのＡＰＩに対応した信号形式に変換することができる。また、別途変換チップを設けたり、第二通信インターフェースの異なる複数機種の信号変換装置を製造したりする必要がなく、低コスト化を図ることができる。
【手続補正３】
【補正対象書類名】明細書
【補正対象項目名】０００９
【補正方法】変更
【補正の内容】
【０００９】
本発明の信号変換装置では、前記第二通信インターフェースは、ＵＳＢ接続インターフェースであり、前記信号処理装置は、ＵＳＢ接続インターフェースから入力されるＨＩＤキーボードプロトコルに基づいた信号を処理可能なＨＩＤドライバを備え、前記第一信号変換手段は、前記測定信号を前記ＨＩＤキーボードプロトコルに基づいた信号形式に変換することが好ましい。
【手続補正４】
【補正対象書類名】明細書
【補正対象項目名】００１１
【補正方法】変更
【補正の内容】
【００１１】
本発明の信号変換装置では、前記信号処理装置は、前記ＵＳＢ接続インターフェースをシリアルポートインターフェースと見なし、前記ＵＳＢ接続インターフェースから入力される信号をシリアルポートプロトコルに基づいて処理可能な仮想シリアルポートドライバを装備し、前記第二信号変換手段は、前記測定信号を前記仮想シリアルポートドライバにより処理可能な仮想シリアルポートプロトコルに基づいた信号形式に変換することが好ましい。
【手続補正５】
【補正対象書類名】明細書
【補正対象項目名】００１２
【補正方法】変更
【補正の内容】
【００１２】
この発明によれば、信号処理装置には、例えば、独自の仮想ＣＯＭポートドライバ：Virtual COM Port(VCP) Driver（以降ＶＣＰドライバと称す）や、ＣＤＣ（Communication Device Class）ドライバなどの仮想シリアルポートドライバが組み込まれている。この仮想シリアルポートドライバは、ＵＳＢＩ／Ｆを、シリアルポート（ＣＯＭポート）と仮想し、例えばＲＳ−２３２Ｃ接続Ｉ／ＦなどのシリアルポートＩ／Ｆをエミュレートするデバイスドライバである。また、信号変換装置の第二信号変換手段は、測定装置から入力される測定信号を仮想シリアルポートドライバにより処理可能な仮想シリアルポートプロトコル、例えばＶＣＰプロトコルやＣＤＣプロトコルに対応する信号形式に変換し、信号処理装置に出力する。
これにより、信号処理装置において実行されるアプリケーションＳ／ＷのＡＰＩが例えば測定装置の独自のソフトウェアインターフェースとしてシリアルポートプロトコルを要求する場合には、信号変換装置は、第二信号変換手段により信号変換された測定信号を信号処理装置に出力することができる。これにより、信号処理装置のアプリケーションＳ／Ｗは、シリアルポートＩ／Ｆで入力される測定信号と等価となるように、ＵＳＢＩ／Ｆから入力される測定信号を処理することができる。
すなわち、信号変換装置は、ＨＩＤキーボードプロトコルに基づいた信号形式、およびシリアルポートプロトコルに基づいた信号形式の双方に対して信号形式を変換することができ、アプリケーションＳ／ＷのＡＰＩに合わせてこれらの信号形式を使い分けることで、汎用性に優れた信号変換を実施することができる。また、この信号変換はすべてソフトウェアによって行われるため、別途変換チップを設けたり、第二通信インターフェースの異なる複数機種の信号変換装置を製造したりする必要がなく、低コスト化を図ることができる。
【手続補正６】
【補正対象書類名】明細書
【補正対象項目名】００２４
【補正方法】変更
【補正の内容】
【００２４】
また、本発明の信号処理装置は、所定の測定処理により得られる測定信号を出力する測定装置に第一通信インターフェースにより接続されて、前記測定信号をＵＳＢ接続インターフェースに入力可能な信号伝送形式に変換する信号変換装置に接続可能に設けられ、前記信号変換装置から入力される前記測定信号を処理する信号処理装置であって、前記信号処理装置が接続された時点で自動デバイス検出処理を実施するデバイス検出手段と、前記測定信号のデータ処理を実施するアプリケーションソフトウェアと、前記アプリケーションソフトウェアが要求する前記測定信号の信号形式を認識する信号形式認識手段と、前記ＵＳＢ接続インターフェースから入力されるＨＩＤキーボードプロトコルに基づいた信号形式の信号を処理するＨＩＤドライバと、前記ＵＳＢ接続インターフェースをシリアルポートインターフェースと見なし、前記ＵＳＢ接続インターフェースから入力される信号をシリアルポートプロトコルに基づいて処理可能な仮想シリアルポートドライバと、を備え、前記仮想シリアルポートドライバは、前記信号形式認識手段により、前記アプリケーションソフトウェアが要求する信号形式が前記シリアルポートプロトコルに対応する信号形式であると認識されると、前記デバイス検出手段による自動デバイス検出処理の完了後に、前記シリアルポートプロトコルに対応する信号形式の前記測定信号を要求する要求信号を前記ＵＳＢ接続インターフェースから前記信号変換装置に出力することを特徴とする。
【手続補正７】
【補正対象書類名】明細書
【補正対象項目名】００２８
【補正方法】変更
【補正の内容】
【００２８】
【図１】本発明の第一実施形態に係る信号変換伝送システムの概略を示す図。
【図２】デジマチック付き測定装置に設けられるデジマチックインターフェースの例を示す図であり、（Ａ）は平形コネクタに対応するインターフェース、（Ｂ）は丸形６ピンコネクタに対応するインターフェース、（Ｃ）は平形１０ピンコネクタに対応するインターフェースを示す斜視図。
【図３】第一実施形態の信号処理装置であるＰＣの概略構成を示すブロック図。
【図４】第一実施形態の信号変換伝送システムにおける信号伝達の概略を示す図。
【図５】第一実施形態のインプットツールの概略構成を示すブロック図。
【図６】第一実施形態のインプットツールにおいて、ＨＩＤキーボードプロトコルに基づいて信号変換を実施させる際の処理の概念図。
【図７】第一実施形態のインプットツールにおいてＶＣＰプロトコルに基づいて信号変換を実施させる際の処理の概念図。
【図８】第一実施形態のインプットツールのファームウェアの処理を示すフローチャート。
【図９】本発明の第二実施形態の信号変換伝送システムにおける信号伝達の概略を示す図。
【図１０】第二実施形態のインプットツールの概略構成を示すブロック図。
【図１１】第二実施形態のインプットツールの外観図。
【図１２】第二実施形態の信号変換伝送システムの信号伝送処理を示すフローチャート。
【図１３】第三実施形態の信号変換伝送システムにおける信号伝達の概略を示す図。
【図１４】第三実施形態の信号変換伝送システムの信号伝送処理を示すフローチャート。
【図１５】第四実施形態のインプットツールの外観図。
【図１６】デジマチックＩ／Ｆの各入出力信号の説明、およびそのタイミングチャート。
【図１７】第五実施形態のインプットツールにおいて、デジマチックＩ／ＦのＤＡＴＡおよびＣＫの信号状態に対して、測定信号を切り替えるプロトコルを示した図。
【手続補正８】
【補正対象書類名】明細書
【補正対象項目名】００５０
【補正方法】変更
【補正の内容】
【００５０】
一方、ステップＳＴ５において、「Ｎｏ」と判断された場合、すなわち、ＨＩＤモードであると判断された場合、ファームウェア３５は、測定装置１０からのデジマチックＩ／Ｆ１１を介して入力される測定信号を、第一信号変換手段３５１によりＨＩＤキーボードプロトコルに基づいた信号形式に変換する。そして、インプットツール３０は、図６に示すように、ＰＣ２０から入力されるＨＩＤＲｅｐｏｒｔを受けると、返信ＨＩＤ Ｒｅｐｏｒｔとして、第一信号変換手段３５１により変換された測定信号をＰＣ２０に出力する（ステップＳＴ７）。
【手続補正９】
【補正対象書類名】明細書
【補正対象項目名】００７１
【補正方法】変更
【補正の内容】
【００７１】
記憶手段３３は、例えばＲＯＭなどの記憶媒体を備えて構成され、インプットツール３０を制御する制御プログラム（ファームウェア３５：図９参照）を記憶する。
ＣＰＵ３４は、記憶手段３３に記憶されるファームウェア３５を読み出し、ファームウェア３５に基づいた処理を逐次処理する。
【手続補正１０】
【補正対象書類名】明細書
【補正対象項目名】００８０
【補正方法】変更
【補正の内容】
【００８０】
また、ＣＰＵ３４は、通信中においても、切替スイッチ３６の状態を監視し（ステップＳＴ１５）、切替スイッチ３６が「ＣＤＣ」側に切り替わると、リセット処理を実施する（ステップＳＴ１６）。このリセット処理は、ＨＩＤ通信処理を終了させるとともに、インプットツールの状態を初期状態に戻す処理であり、この場合、ステップＳＴ１１の処理に戻る。